(57)【要約】【課題】緊急救出要請機能及び／又は迅速ダイヤル機能を実現可能な腕時計、ウェアラブル装置、緊急救出要請方法及び迅速ダイヤル方法の提供。【解決手段】本発明では、使用者が身に付けた腕時計又はウェアラブル装置を使用者の移動端末と組み合わせて、緊急救出要請機能及び／又は迅速ダイヤル機能を実現する。例えば、使用者が腕時計又はウェアラブル装置を連続的に叩いたり振ったりする場合、緊急救出要請機能を実行するように使用者の移動端末に知らせることができる。さらに、移動端末は、腕時計又はウェアラブル装置への使用者の叩きの回数に応じて、対応する連絡先に迅速にダイヤルすることができる。【選択図】図４
2017090430.tif 000002
【特許請求の範囲】
【請求項１】
腕時計であって、
文字盤と、少なくとも１つの実体の指針と、コア部とを含み、
前記文字盤上には、実体のタイムスケールが刻まれ、
前記実体の指針は、前記文字盤の上方に設置され、前記コア部によって駆動されて、前記文字盤上のタイムスケールと組み合わせて時間情報を表示し、
前記腕時計は、その内部又は腕時計ベルトに設置された機能モジュールをさらに含み、
前記機能モジュールは、少なくとも、センサと、プロセッサユニットと、無線通信モジュールとを含み、
前記センサは、前記腕時計への使用者の操作を検知し、前記腕時計への使用者の操作を検知した場合に検知信号を生成し、
前記プロセッサユニットは、前記センサに接続され、前記センサによって生成された検知信号を受信し、前記検知信号に対応する動作モードが所定の動作モードと同一であるか否かを判断し、前記検知信号に対応する動作モードが前記所定の動作モードと同一である場合にコマンドを生成し、
前記無線通信モジュールは、前記プロセッサユニットに接続され、
前記プロセッサユニットは、前記無線通信モジュールによって無線通信で前記コマンドを移動端末に伝送し、これにより前記移動端末が前記コマンドに応じて、前記移動端末内に記憶されて予め設定された緊急救出要請メッセージを、前記移動端末内に予め設定された１つ以上の連絡先に送信することを特徴とする腕時計。
【請求項２】
前記所定の動作モードは振りの動作を含むことを特徴とする請求項１に記載の腕時計。
【請求項３】
前記所定の動作モードは回動の動作を含むことを特徴とする請求項１に記載の腕時計。
【請求項４】
前記所定の動作モードは連続叩きの動作を含むことを特徴とする請求項１に記載の腕時計。
【請求項５】
前記移動端末は前記緊急救出要請メッセージを発信した後、前記腕時計の前記プロセッサユニットに確認信号を送信し、
前記プロセッサユニットは、前記確認信号を受信した後、提示メッセージを発信して前記使用者に注意を喚起することを特徴とする請求項１に記載の腕時計。
【請求項６】
前記プロセッサユニットから発信された前記提示メッセージは、振動提示メッセージであることを特徴とする請求項５に記載の腕時計。
【請求項７】
前記プロセッサユニットから発信された前記提示メッセージは、音声提示メッセージであることを特徴とする請求項５に記載の腕時計。
【請求項８】
前記移動端末から発信された、前記予め設定された緊急救出要請メッセージは、ニュースフラッシュの内容又は電子メールの内容を含むことを特徴とする請求項１に記載の腕時計。
【請求項９】
前記ニュースフラッシュの内容又は電子メールの内容は、前記移動端末の位置情報を含み、
前記移動端末の位置情報は、衛星測位システムによって得られた座標を含むことを特徴とする請求項８に記載の腕時計。
【請求項１０】
前記移動端末から発信された、予め設定された緊急救出要請メッセージは、録音の内容を含むことを特徴とする請求項１に記載の腕時計。
【請求項１１】
腕時計であって、
文字盤と、少なくとも１つの実体の指針と、コア部とを含み、
前記文字盤上には、実体のタイムスケールが刻まれ、
前記実体の指針は、前記文字盤の上方に設置され、前記コア部によって駆動されて、前記文字盤上のタイムスケールと組み合わせて時間情報を表示し、
前記腕時計は、その内部又は腕時計ベルトに設置された機能モジュールをさらに含み、
前記機能モジュールは、少なくとも、センサと、プロセッサユニットと、無線通信モジュールとを含み、
前記センサは、前記腕時計への使用者の操作を検知し、前記腕時計への使用者の操作を検知した場合に検知信号を生成し、
前記プロセッサユニットは、前記センサに接続され、前記センサによって生成された検知信号を受信し、前記検知信号に対応する動作モードが所定の動作モードと同一であるか否かを判断し、前記検知信号に対応する動作モードが前記所定の動作モードと同一である場合、所定の時間内における、前記検知信号に対応する動作モードの実行の回数を判断するとともに、前記所定の動作モード及び前記回数に応じて前記回数に対応するコマンドを生成し、
前記無線通信モジュールは、前記プロセッサユニットに接続され、
前記プロセッサユニットは、前記無線通信モジュールによって無線通信で前記コマンドを移動端末に伝送し、これにより前記移動端末が前記コマンドに応じて、対応する連絡先に迅速にダイヤルすることを特徴とする腕時計。
【請求項１２】
前記所定の動作モードは叩きの動作を含み、その場合、所定の時間内における、前記検知信号に対応する動作モードの実行の回数は、叩きの回数であることを特徴とする請求項１１に記載の腕時計。
【請求項１３】
前記所定の動作モードは回動の動作を含み、その場合、所定の時間内における、前記検知信号に対応する動作モードの実行の回数は、回動の回数であることを特徴とする請求項１１に記載の腕時計。
【請求項１４】
前記所定の動作モードは振りの動作を含み、その場合、所定の時間内における、前記検知信号に対応する動作モードの実行の回数は、振りの回数であることを特徴とする請求項１１に記載の腕時計。
【請求項１５】
前記プロセッサユニットによって生成された前記コマンドは、迅速ダイヤルを実行するコマンドと、前記所定の動作モードの実行の回数に対応する１つのフラグとを含み、
前記移動端末は、前記フラグに対応する連絡先にダイヤルすることを特徴とする請求項１１に記載の腕時計。
【請求項１６】
前記移動端末は、迅速ダイヤルを実行して通話が開始したと判断した場合、前記腕時計の前記プロセッサユニットに確認信号を送信し、
前記プロセッサユニットは、前記確認信号を受信した後、提示メッセージを発信して前記使用者に注意を喚起することを特徴とする請求項１１に記載の腕時計。
【請求項１７】
前記プロセッサユニットから発信された前記提示メッセージは、振動提示メッセージであることを特徴とする請求項１６に記載の腕時計。
【請求項１８】
前記プロセッサユニットから発信された前記提示メッセージは、音声提示メッセージであることを特徴とする請求項１６に記載の腕時計。
【請求項１９】
ウェアラブル装置であって、
少なくとも、センサと、プロセッサユニットと、無線通信モジュールとを含み、
前記センサは、前記ウェアラブル装置への使用者の操作を検知し、前記ウェアラブル装置への使用者の操作を検知した場合に検知信号を生成し、
前記プロセッサユニットは、前記センサに接続され、前記センサによって生成された検知信号を受信し、前記検知信号に対応する動作モードが所定の動作モードと同一であるか否かを判断し、前記検知信号に対応する動作モードが前記所定の動作モードと同一である場合にコマンドを生成し、
前記無線通信モジュールは、前記プロセッサユニットに接続され、
前記プロセッサユニットは、前記無線通信モジュールによって無線通信で前記コマンドを移動端末に伝送し、これにより前記移動端末が前記コマンドに応じて、前記移動端末内に記憶されて予め設定された緊急救出要請メッセージを、前記移動端末内に予め設定された１つ以上の連絡先に送信することを特徴とするウェアラブル装置。
【請求項２０】
ウェアラブル装置であって、
少なくとも、センサと、プロセッサユニットと、無線通信モジュールとを含み、
前記センサは、前記ウェアラブル装置への使用者の操作を検知し、前記ウェアラブル装置への使用者の操作を検知した場合に検知信号を生成し、
前記プロセッサユニットは、前記センサに接続され、前記センサによって生成された検知信号を受信し、前記検知信号に対応する動作モードが所定の動作モードと同一であるか否かを判断し、前記検知信号に対応する動作モードが前記所定の動作モードと同一である場合、所定の時間内における、前記検知信号に対応する動作モードの実行の回数を判断するとともに、前記所定の動作モード及び前記回数に応じて前記回数に対応するコマンドを生成し、
前記無線通信モジュールは、前記プロセッサユニットに接続され、
前記プロセッサユニットは、前記無線通信モジュールによって無線通信で前記コマンドを移動端末に伝送し、これにより前記移動端末が前記コマンドに応じて、対応する連絡先に迅速にダイヤルすることを特徴とするウェアラブル装置。
【請求項２１】
緊急救出要請方法であって、
使用者が身に付けた装置への使用者の操作に応じて、前記装置が検知信号を生成するステップと、
前記装置は前記検知信号に対応する動作モードが所定の動作モードと同一であるか否かを判断するステップと、
前記検知信号に対応する動作モードが前記所定の動作モードと同一である場合、コマンドを生成して移動端末に伝送するステップと、
前記移動端末が前記コマンドに応じて、前記移動端末内に記憶されて予め設定された緊急救出要請メッセージを、前記移動端末内に予め設定された１つ以上の連絡先に送信するステップと、を含むことを特徴とする緊急救出要請方法。
【請求項２２】
迅速ダイヤル方法であって、
使用者が身に付けた装置への使用者の操作に応じて、前記装置が検知信号を生成するステップと、
前記装置は前記検知信号に対応する動作モードが所定の動作モードと同一であるか否かを判断し、前記検知信号に対応する動作モードが前記所定の動作モードと同一である場合、所定の時間内における、前記検知信号に対応する動作モードの実行の回数を判断するステップと、
前記所定の動作モード及び前記回数に応じて前記回数に対応するコマンドを生成して移動端末に伝送するステップと、
前記移動端末が前記コマンドに応じて、前記回数に対応する連絡先に迅速にダイヤルするステップと、を含むことを特徴とする迅速ダイヤル方法。
【請求項２３】
ウェアラブル装置であって、
押しボタン又はノブ、プロセッサユニット、及び無線通信モジュールを含み、
前記押しボタン又はノブは、前記ウェアラブル装置への使用者の操作を実行し、前記使用者が前記押しボタン又はノブを操作した場合に前記プロセッサユニットが受信可能な信号を生成し、
前記プロセッサユニットは前記押しボタン又はノブに接続され、前記押しボタン又はノブによって生成された信号を受信し、前記押しボタン又はノブによって生成された信号に応じて、前記信号に対応するコマンドを生成し、
前記無線通信モジュールは、前記プロセッサユニットに接続され、
前記プロセッサユニットは、前記無線通信モジュールによって無線通信で前記コマンドを移動端末に伝送し、これにより前記移動端末が前記コマンドに応じて、前記移動端末内に記憶されて予め設定された緊急救出要請メッセージを、前記移動端末内に予め設定された１つ以上の連絡先に送信することを特徴とするウェアラブル装置。
【請求項２４】
ウェアラブル装置であって、
押しボタン又はノブ、プロセッサユニット、及び無線通信モジュールを含み、
前記押しボタン又はノブは、前記ウェアラブル装置への使用者の操作を実行し、前記使用者が前記押しボタン又はノブを操作した場合に前記プロセッサユニットが受信可能な信号を生成し、
前記プロセッサユニットは前記押しボタン又はノブに接続され、前記押しボタン又はノブによって生成された信号を受信し、且つ前記押しボタン又はノブが一定の時間内に信号を生成した回数に応じて、前記回数に対応するコマンドを生成し、
前記無線通信モジュールは、前記プロセッサユニットに接続され、
前記プロセッサユニットは、前記無線通信モジュールによって無線通信で前記コマンドを移動端末に伝送し、これにより前記移動端末が前記コマンドに応じて、対応する連絡先に迅速にダイヤルすることを特徴とするウェアラブル装置。
【請求項２５】
ウェアラブル装置であって、
スクリーン、プロセッサユニット、及び無線通信モジュールを含み、
前記スクリーンは、前記ウェアラブル装置への使用者の操作を実行し、前記使用者が前記スクリーンに表示された専用のスクリーン画面をタッチした場合に制御信号を生成し、
前記プロセッサユニットは、前記スクリーンに接続され、前記専用のスクリーン画面をタッチして生成された前記制御信号を受信し、且つ前記専用のスクリーン画面をタッチして生成された前記制御信号に応じて、前記制御信号に対応するコマンドを生成し、
前記無線通信モジュールは、前記プロセッサユニットに接続され、
前記プロセッサユニットは、前記無線通信モジュールによって無線通信で前記コマンドを移動端末に伝送し、これにより前記移動端末が前記コマンドに応じて、前記移動端末内に記憶されて予め設定された緊急救出要請メッセージを、前記移動端末内に予め設定された１つ以上の連絡先に送信することを特徴とするウェアラブル装置。
【請求項２６】
ウェアラブル装置であって、
スクリーン、プロセッサユニット、及び無線通信モジュールを含み、
前記スクリーンは、前記ウェアラブル装置への使用者の操作を実行し、前記使用者が前記スクリーンに表示された専用のスクリーン画面をタッチした場合に制御信号を生成し、
前記プロセッサユニットは前記スクリーンに接続され、前記専用のスクリーン画面をタッチして生成された前記制御信号を受信し、且つ受信した制御信号に応じて、前記制御信号に対応するコマンドを生成し、
前記無線通信モジュールは、前記プロセッサユニットに接続され、
前記プロセッサユニットは、前記無線通信モジュールによって無線通信で前記コマンドを移動端末に伝送し、これにより前記移動端末が前記コマンドに応じて、対応する連絡先に迅速にダイヤルすることを特徴とするウェアラブル装置。
【請求項２７】
緊急救出要請方法であって、
使用者が身に付けた装置への使用者の操作に応じて、前記装置がコマンドを生成して移動端末に伝送するステップと、
前記移動端末は前記コマンドに応じて、前記移動端末内に記憶されて予め設定された緊急救出要請メッセージを、前記移動端末内に予め設定された１つ以上の連絡先に送信するステップと、を含むことを特徴とする緊急救出要請方法。
【請求項２８】
緊急救出要請方法であって、
使用者が身に付けた装置への使用者の操作に応じて、前記装置がコマンドを生成して移動端末に伝送するステップと、
前記移動端末は前記コマンドに応じて、前記移動端末内に記憶されて予め設定された緊急救出要請メッセージを、前記移動端末内に予め設定された１つ以上の連絡先に送信するステップと、を含むことを特徴とする迅速ダイヤル方法。
【発明の詳細な説明】
【技術分野】
【０００１】
本発明は、移動端末と組み合わせて使用される装置、及び移動端末と組み合わせて実現する方法に関し、特に、腕時計、ウェアラブル装置、緊急救出要請方法及び迅速ダイヤル方法に関する。
【背景技術】
【０００２】
人々は緊急事態に遭遇した場合、所有する移動端末（例えば、スマートフォン、タブレットなど）を利用して他者と通信して外部に救助を求める。しかしながら、移動端末の所有者は移動端末を身の周りに置いていなかったり、移動端末から離れたりしていて、緊急事態に遭遇したのに移動端末で救助を求めることができない場合、移動端末を利用して外部に救助を求めることが困難になる。また、既存の移動端末は迅速ダイヤル機能を備えるが、使用者は迅速ダイヤル機能を使用しても、通話が開始する前にコールを待たなければならない。そのため、従来の迅速ダイヤル機能は、使用者にとってまだ不便である。
【発明の概要】
【発明が解決しようとする課題】
【０００３】
本発明の１つの目的は、移動端末と互いに組み合わせて、使用者に緊急救出要請機能及び／又は迅速ダイヤル機能を供給可能な腕時計及びウェアラブル装置を提供することである。
【０００４】
本発明のもう１つの目的は、使用者が身に付けた装置を移動端末と組み合わせて、緊急救出要請機能を実現可能な緊急救出要請方法を提供することである。
【０００５】
本発明の他の目的は、使用者が身に付けた装置を移動端末と組み合わせて、緊急救出要請機能を実現可能な迅速ダイヤル方法を提供することである。
【課題を解決するための手段】
【０００６】
本発明は上記の目的を達成するために、本発明の第１の態様の腕時計は、文字盤と、少なくとも１つの実体の指針と、コア部とを含む。前記文字盤上には、実体のタイムスケールが刻まれる。前記実体の指針は、前記文字盤の上方に設置され、前記コア部によって駆動されて、前記文字盤上のタイムスケールと組み合わせて時間情報を表示する。前記腕時計は、その内部又は腕時計ベルトに設置された機能モジュールをさらに含む。前記機能モジュールは、少なくとも、センサと、プロセッサユニットと、無線通信モジュールとを含む。前記センサは、前記腕時計への使用者の操作を検知し、前記腕時計への使用者の操作を検知した場合に検知信号を生成する。前記プロセッサユニットは、前記センサに接続され、前記センサによって生成された検知信号を受信し、前記検知信号に対応する動作モードが所定の動作モードと同一であるか否かを判断し、前記検知信号に対応する動作モードが前記所定の動作モードと同一である場合にコマンドを生成する。前記無線通信モジュールは、前記プロセッサユニットに接続される。前記プロセッサユニットは、前記無線通信モジュールによって無線通信で前記コマンドを移動端末に伝送し、これにより前記移動端末が前記コマンドに応じて、前記移動端末内に記憶されて予め設定された緊急救出要請メッセージを、前記移動端末内に予め設定された１つ以上の連絡先に送信する。
【０００７】
本発明の第２の態様の腕時計は、文字盤と、少なくとも１つの実体の指針と、コア部とを含む。前記文字盤上には、実体のタイムスケールが刻まれる。前記実体の指針は、前記文字盤の上方に設置され、前記コア部によって駆動されて、前記文字盤上のタイムスケールと組み合わせて時間情報を表示する。前記腕時計は、その内部又は腕時計ベルトに設置された機能モジュールをさらに含む。前記機能モジュールは、少なくとも、センサと、プロセッサユニットと、無線通信モジュールとを含む。前記センサは、前記腕時計への使用者の操作を検知し、前記腕時計への使用者の操作を検知した場合に検知信号を生成する。前記プロセッサユニットは、前記センサに接続され、前記センサによって生成された検知信号を受信し、前記検知信号に対応する動作モードが所定の動作モードと同一であるか否かを判断し、前記検知信号に対応する動作モードが前記所定の動作モードと同一である場合、所定の時間内における、前記検知信号に対応する動作モードの実行の回数を判断するとともに、前記所定の動作モード及び前記回数に応じて前記回数に対応するコマンドを生成する。前記無線通信モジュールは、前記プロセッサユニットに接続される。前記プロセッサユニットは、前記無線通信モジュールによって無線通信で前記コマンドを移動端末に伝送し、これにより前記移動端末が前記コマンドに応じて、対応する連絡先に迅速にダイヤルする。
【０００８】
本発明の第３の態様のウェアラブル装置は、少なくとも、センサと、プロセッサユニットと、無線通信モジュールとを含む。前記センサは、前記ウェアラブル装置への使用者の操作を検知し、前記ウェアラブル装置への使用者の操作を検知した場合に検知信号を生成する。前記プロセッサユニットは、前記センサに接続され、前記センサによって生成された検知信号を受信し、前記検知信号に対応する動作モードが所定の動作モードと同一であるか否かを判断し、前記検知信号に対応する動作モードが前記所定の動作モードと同一である場合にコマンドを生成する。前記無線通信モジュールは、前記プロセッサユニットに接続される。前記プロセッサユニットは、前記無線通信モジュールによって無線通信で前記コマンドを移動端末に伝送し、これにより前記移動端末が前記コマンドに応じて、前記移動端末内に記憶されて予め設定された緊急救出要請メッセージを、前記移動端末内に予め設定された１つ以上の連絡先に送信する。
【０００９】
本発明の第４の態様のウェアラブル装置は、少なくとも、センサと、プロセッサユニットと、無線通信モジュールとを含む。前記センサは、前記ウェアラブル装置への使用者の操作を検知し、前記ウェアラブル装置への使用者の操作を検知した場合に検知信号を生成する。前記プロセッサユニットは、前記センサに接続され、前記センサによって生成された検知信号を受信し、前記検知信号に対応する動作モードが所定の動作モードと同一であるか否かを判断し、前記検知信号に対応する動作モードが前記所定の動作モードと同一である場合、所定の時間内における、前記検知信号に対応する動作モードの実行の回数を判断するとともに、前記所定の動作モード及び前記回数に応じて前記回数に対応するコマンドを生成する。前記無線通信モジュールは、前記プロセッサユニットに接続される。前記プロセッサユニットは、前記無線通信モジュールによって無線通信で前記コマンドを移動端末に伝送し、これにより前記移動端末が前記コマンドに応じて、対応する連絡先に迅速にダイヤルする。
【００１０】
本発明の第５の態様の緊急救出要請方法は、使用者が身に付けた装置への使用者の操作に応じて、前記装置が検知信号を生成するステップと、前記装置が前記検知信号に対応する動作モードが所定の動作モードと同一であるか否かを判断するステップと、前記検知信号に対応する動作モードが前記所定の動作モードと同一である場合、コマンドを生成して移動端末に伝送するステップと、前記移動端末が前記コマンドに応じて、前記移動端末内に記憶されて予め設定された緊急救出要請メッセージを、前記移動端末内に予め設定された１つ以上の連絡先に送信するステップと、を含む。
【００１１】
本発明の第６の態様の迅速ダイヤル方法は、使用者が身に付けた装置への使用者の操作に応じて、前記装置が検知信号を生成するステップと、前記装置が前記検知信号に対応する動作モードが所定の動作モードと同一であるか否かを判断し、前記検知信号に対応する動作モードが前記所定の動作モードと同一である場合、所定の時間内における、前記検知信号に対応する動作モードの実行の回数を判断するステップと、前記所定の動作モード及び前記回数に応じて前記回数に対応するコマンドを生成して移動端末に伝送するステップと、前記移動端末が前記コマンドに応じて、前記回数に対応する連絡先に迅速にダイヤルするステップと、を含む。
【００１２】
本発明の第７の態様のウェアラブル装置は、押しボタン又はノブ、プロセッサユニット、及び無線通信モジュールを含む。前記押しボタン又はノブは、前記ウェアラブル装置への使用者の操作を実行し、前記使用者が前記押しボタン又はノブを操作した場合に前記プロセッサユニットが受信可能な信号を生成する。前記プロセッサユニットは前記押しボタン又はノブに接続され、前記押しボタン又はノブによって生成された信号を受信し、前記押しボタン又はノブによって生成された信号に応じて、前記信号に対応するコマンドを生成する。前記無線通信モジュールは、前記プロセッサユニットに接続される。前記プロセッサユニットは、前記無線通信モジュールによって無線通信で前記コマンドを移動端末に伝送し、これにより前記移動端末が前記コマンドに応じて、前記移動端末内に記憶されて予め設定された緊急救出要請メッセージを、前記移動端末内に予め設定された１つ以上の連絡先に送信する。
【００１３】
本発明の第８の態様のウェアラブル装置は、押しボタン又はノブ、プロセッサユニット、及び無線通信モジュールを含む。前記押しボタン又はノブは、前記ウェアラブル装置への使用者の操作を実行し、前記使用者が前記押しボタン又はノブを操作した場合に前記プロセッサユニットが受信可能な信号を生成する。前記プロセッサユニットは前記押しボタン又はノブに接続され、前記押しボタン又はノブによって生成された信号を受信し、且つ前記押しボタン又はノブが一定の時間内に信号を生成した回数に応じて、前記回数に対応するコマンドを生成する。前記無線通信モジュールは、前記プロセッサユニットに接続される。前記プロセッサユニットは、前記無線通信モジュールによって無線通信で前記コマンドを移動端末に伝送し、これにより前記移動端末が前記コマンドに応じて、対応する連絡先に迅速にダイヤルする。
【００１４】
本発明の第９の態様のウェアラブル装置は、スクリーン、プロセッサユニット、及び無線通信モジュールを含む。前記スクリーンは、前記ウェアラブル装置への使用者の操作を実行し、前記使用者が前記スクリーンに表示された専用のスクリーン画面をタッチした場合に制御信号を生成する。前記プロセッサユニットは、前記スクリーンに接続され、前記専用のスクリーン画面をタッチして生成された前記制御信号を受信し、且つ前記専用のスクリーン画面をタッチして生成された前記制御信号に応じて、前記制御信号に対応するコマンドを生成する。前記無線通信モジュールは、前記プロセッサユニットに接続される。  前記プロセッサユニットは、前記無線通信モジュールによって無線通信で前記コマンドを移動端末に伝送し、これにより前記移動端末が前記コマンドに応じて、前記移動端末内に記憶されて予め設定された緊急救出要請メッセージを、前記移動端末内に予め設定された１つ以上の連絡先に送信する。
【００１５】
本発明の第１０の態様のウェアラブル装置は、スクリーン、プロセッサユニット、及び無線通信モジュールを含む。前記スクリーンは、前記ウェアラブル装置への使用者の操作を実行し、前記使用者が前記スクリーンに表示された専用のスクリーン画面をタッチした場合に制御信号を生成する。前記プロセッサユニットは前記スクリーンに接続され、前記専用のスクリーン画面をタッチして生成された前記制御信号を受信し、且つ受信した制御信号に応じて、前記制御信号に対応するコマンドを生成する。前記無線通信モジュールは、前記プロセッサユニットに接続される。前記プロセッサユニットは、前記無線通信モジュールによって無線通信で前記コマンドを移動端末に伝送し、これにより前記移動端末が前記コマンドに応じて、対応する連絡先に迅速にダイヤルする。
【００１６】
本発明の第１１の態様の緊急救出要請方法は、使用者が身に付けた装置への使用者の操作に応じて、前記装置がコマンドを生成して移動端末に伝送するステップと、前記移動端末が前記コマンドに応じて、前記移動端末内に記憶されて予め設定された緊急救出要請メッセージを、前記移動端末内に予め設定された１つ以上の連絡先に送信するステップと、を含む。
【００１７】
本発明の第１２の態様の緊急救出要請方法は、使用者が身に付けた装置への使用者の操作に応じて、前記装置がコマンドを生成して移動端末に伝送するステップと、前記移動端末が前記コマンドに応じて、前記移動端末内に記憶されて予め設定された緊急救出要請メッセージを、前記移動端末内に予め設定された１つ以上の連絡先に送信するステップと、を含む。
【００１８】
本発明では、使用者が身に付けた腕時計又はウェアラブル装置を使用者の移動端末と組み合わせて、緊急救出要請機能及び／又は迅速ダイヤル機能を実現する。例えば、使用者が腕時計又はウェアラブル装置を連続的に叩いたり振ったりする場合には、腕時計又はウェアラブル装置と移動端末との無線通信によって、緊急救出要請機能を実行するように使用者の移動端末に知らせ、緊急救出要請メッセージを予め設定された連絡先に送信することができる。さらに、移動端末は、腕時計又はウェアラブル装置への使用者の叩きの回数（例えば、一回、二回、三回）に応じて、即ち、移動端末は使用者の叩きの回数に基づいて、対応する連絡先に迅速にダイヤルすることができる。本発明の概念は、従来の腕時計に適用してもよいし、ウェアラブル装置に適用してもよい。
【図面の簡単な説明】
【００１９】
【図１】本発明の一実施形態に係る腕時計の正面図である。
【図２】図１に示す腕時計の分解斜視図である。
【図３】図１に示す腕時計の断面概略図である。
【図４】本発明の機能モジュールと移動端末との通信の構成を示す図である。
【図５Ａ】本発明の移動端末内にインストールされたアプリケーションの、緊急救出要請機能の連絡先のスクリーニングに対応する設定画面を示す図である。
【図５Ｂ】本発明の移動端末内にインストールされたアプリケーションの、緊急救出要請機能のニュースフラッシュの内容に対応する設定画面を示す図である。
【図５Ｃ】本発明の移動端末内にインストールされたアプリケーションの、緊急救出要請機能の録音の内容に対応する設定画面を示す図である。
【図６】本発明の移動端末内にインストールされたアプリケーションの、迅速ダイヤル機能に対応する設定画面を示す図である。
【図７】本発明に係る緊急救出要請方法のフローを概略的に示す図である。
【図８】本発明に係る迅速ダイヤル方法のフローを概略的に示す図である。
【発明を実施するための形態】
【００２０】
本発明の目的、技術及び効果がより詳細に明確、且つ理解されるように、以下、添付図面及び実施形態を参照しながら本発明について詳しく説明する。本明細書に記載されている「実施形態」は、実例、事例又は例示として単に本発明を説明するためのものであり、本発明の範囲を限定するものではないことを理解されたい。また、本明細書及び特許請求の範囲で使用する「１つ」という用語は、特定の文脈又は文章の前後関係から明確な説明がない限り、一般的に「１つ又は複数」の意味を有する。さらに、添付図面において、構成、機能が類似する要素、又は同じ要素には同一の符号を付与する。
【００２１】
本発明に係る腕時計は、移動端末（例えば、スマートフォンやタブレット）と互いに組み合わせて、使用者に緊急救出要請機能及び／又は迅速ダイヤル機能を提供する。緊急救出要請機能については、使用者が腕時計を操作し（例えば、腕時計を連続的に振ったり、腕時計のカバー部を叩いたりする）、且つ腕時計と移動端末との無線通信によって、移動端末が緊急救出要請メッセージを予め設定された１つ以上の連絡先に送信するということである。一方、迅速ダイヤル機能については、移動端末は腕時計への使用者の操作（例えば、カバー部の叩きの回数）に応じて、予め設定された、異なる連絡先に迅速にダイヤルするということである。以下、従来のクォーツ時計に本発明を適用する例について説明するが、当業者であれば、従来の機械式時計、デジタル時計又は他の種類の従来の腕時計に本発明を適用したり、スマートウォッチ又はこれらに類似するウェアラブル装置に適用したりすることもできると理解するであろう。
【００２２】
図１は、本発明の一実施形態に係る腕時計の正面図である。図２は、図１に示す腕時計の分解斜視図である。図３は、図１に示す腕時計の断面概略図である。本発明の一実施形態に係る腕時計は、カバー部１１、文字盤１２、コア部１３、機能モジュール１４、ケース部１５、クラウン１６、電池１７及び裏蓋１８を含む。カバー部１１は、透明材質（例えば、ガラス）である。文字盤１２上には、実体の時間の目盛り（例えば、１時から１２時）が記される。インジケータ（例えば、実体の時針、分針及び秒針）は、文字盤１２の上方に設置され、コア部１３によって駆動され、これにより文字盤１２上の時間の目盛りに合わせて時刻を表示する。使用者は、透明のカバー部１１を通してインジケータの示した位置情報（すなわち、時間情報）を見ることができる。ケース部１５及び裏蓋１８は、腕時計内における機械構造及び／又は電子装置を保護する。ケース部１５、裏蓋１８及び文字盤１２（又はカバー部１１）により、コア部１３、機能モジュール１４及び電池１７を収容するための収容スペースが構成される。腕時計の側面には、クラウン１６がさらに付けられる。使用者は、クラウン１６のノブを回転させることによって時間を調整したりアラーム時間を設定したりできる。電池１７は、コア部１３及び／又は機能モジュール１４に必要な電力を供給することができる。機能モジュール１４は、移動端末と組み合わせて、使用者に緊急救出要請機能及び／又は迅速ダイヤル機能を提供する。機能モジュール１４は、腕時計のベルトに設置されてもよい。
【００２３】
図１乃至図３に示すように、カバー部１１、文字盤１２、コア部１３、ケース部１５、クラウン１６、電池１７及び裏蓋１８のデザインが異なっても、これらの部材の機能は従来の腕時計に類似し、特に、クォーツ時計の構造に相当する。本発明の実施形態に係る腕時計は従来の技術と異なり、機能モジュール１４をさらに含む。すなわち、従来のクォーツ時計における残りのスペースに機能モジュール１４が増設されるか、又はクォーツ時計におけるスペースを改善してこの機能モジュール１４を収容することにより、移動端末と組み合わせて緊急救出要請機能及び／又は迅速ダイヤル機能を実現し、腕時計をスマート化する。同様に、本発明の機能モジュール１４は、機械式時計、デジタル時計又は他の種類の従来の腕時計に配置されてこれらの時計をスマート化する。その原理としてはクォーツ時計の実施形態に類似するため、ここでその説明を省略する。
【００２４】
本発明の一実施形態において、電池１７はコア部１３及び機能モジュール１４に給電することができる。すなわち、コア部１３及び機能モジュール１４（又は腕時計内における他の電子装置）は、電池１７に蓄積された電力を同時に使用することができる。他の実施形態において、コア部１３及び機能モジュール１４は、互いに独立した電池や給電システムを有してもよい。すなわち、コア部１３及び機能モジュール１４は、異なる電池に給電されてもよい。
【００２５】
図２に示すように、機能モジュール１４は、電気接続基板１４１と、電気接続基板１４１上に設置されたパッケージ体１４２とを含む。図４は、本発明の機能モジュール１４と移動端末４５との通信の構成を示す概略図である。図１乃至図４に示すように、本発明の機能モジュール１４のパッケージ体１４２内には、プロセッサユニット４１、センサ４２及び無線通信モジュール４３が設けられる。電気接続基板１４１上には、プロセッサユニット４１、センサ４２及び無線通信モジュール４３は、モノリシック（ｍｏｎｏｌｉｔｈｉｃ）のパッケージ構造、例えば、システム・イン・パッケージ（Ｓｙｓｔｅｍ ｉｎ Ｐａｃｋａｇｅ；ＳｉＰ）構造に封止されてもよいし、単独に封止されてもよいし、さらにこれらの三つの部材のうちの二つが整合して封止されてもよく、その後、同一又は異なる電気接続基板上の配線構造によって電気信号を伝送する。電気接続基板１４１は、多層フレキシブル基板又は多層リジッド基板であってもよく、複数の金属層及び複数の誘電体層を有する。金属層は、各誘電体層の間に分布されて電気信号を伝送する。誘電体層は、例えば、ポリイミド（ｐｏｌｙｉｍｉｄｅ）を材料として、スピンコート（ｓｐｉｎ ｃｏａｔｉｎｇ）法で形成される。機能モジュール１４は、記憶ユニット４４をさらに含んでもよい。記憶ユニット４４は、プロセッサユニット４１に必要な関連資料を記憶する。記憶ユニット４４は、プロセッサユニット４１に取り付けられてもよい。移動端末４５は、無線信号を送受信するための無線信号送受信部４６を有する。無線信号送受信部４６は、例えば、ブルートゥース（Ｂｌｕｅｔｏｏｔｈ（登録商標））トランシーバ又はＮＦＣ（Ｎｅａｒ Ｆｉｅｌｄ Ｃｏｍｍｕｎｉｃａｔｉｏｎ；近距離無線通信）トランシーバであってもよい。
【００２６】
機能モジュール１４内における無線通信モジュール４３は、移動端末４５の無線信号送受信部４６と有線通信可能な通信モジュール、例えば、ブルートゥース通信モジュール又はＮＦＣ通信モジュールである。機能モジュール１４内におけるセンサ４２は、使用者による操作（例えば、センサ４２を変位させたり角変位させたりする）を検知し、さらに検知に応じて電気的な信号を出力可能なセンサである。例えば、センサ４２は、使用者による振動類の操作、例えば、連続振り又は叩きを検知するための振動センサであってもよい。また、センサ４２は、加速度センサ（加速度計）又は角速度センサ（ジャイロスコープ）であってもよく、具体的に、３軸慣性センサ、６軸慣性センサ（３軸ジャイロスコープ及び３軸加速度計を含む）、又はより高性能の慣性センサ（例えば、９軸慣性センサ（３軸ジャイロスコープ、３軸加速度計及び３軸磁気センサを含む））であってもよい。
【００２７】
また、図１乃至図４を参照しながら、本発明に係る腕時計による緊急救出要請機能について説明する。まず、センサ４２は腕時計への使用者の操作を検知した場合、検知信号を生成してプロセッサユニット４１に伝送する。プロセッサユニット４１は、この検知信号に対応する動作モードが第一の所定の動作モード（例えば、連続振り又は連続叩き）と同一であるか否かを判断する。動作モードが第一の所定の動作モードと同一である場合、プロセッサユニット４１は第一コマンドを生成して、腕時計の無線通信モジュール４３と移動端末４５の無線信号送受信部４６との無線通信（例えば、ブルートゥース通信、ＮＦＣ通信）によって第一コマンドを移動端末４５に伝送する。移動端末４５は第一コマンドを受信した場合、第一コマンドに応じて緊急救出要請メッセージを、予め設定された１つ以上の連絡先に送信する。緊急救出要請メッセージの態様としては、予め設定されたニュースフラッシュの内容、電子メールの内容、予め設定された録音の内容、及び通信ソフトウェア又はコミュニティサイトにおけるメッセージの内容であってもよい。第一の所定の動作モードは回動の動作、すなわち、腕時計を回動させるための動作であってもよい。好ましくは、移動端末４５は、緊急救出要請メッセージを発信した後、移動端末４５の無線信号送受信部４６と腕時計の無線通信モジュール４３との無線通信によって確認信号をプロセッサユニット４１に伝送する。さらに、プロセッサユニット４１は、この確認信号に応じて、振動発生機による振動の発生（例えば、長い振動）を指示するための提示メッセージを発信して、移動端末４５から既に緊急救出要請メッセージを発信したことを使用者に注意を喚起する。提示メッセージは、音声提示メッセージであってもよい。他の実施形態において、腕時計（又はウェアラブル装置）は、押しボタン又はノブを含んでもよい。ノブは、回転可能な盤面であってもよい。使用者が押しボタン又はノブを操作した場合には、すなわち、腕時計（又はウェアラブル装置）への使用者の操作を実行し、それに応じて信号を生成してプロセッサユニット４１に送信する。本実施形態では、上述した操作検知の態様と異なり、腕時計（又はウェアラブル装置）の押しボタン又はノブを操作することにより、緊急救出要請メッセージを発信するように移動端末に知らせる。また、別の実施形態において、腕時計（又はウェアラブル装置）は、スクリーンを含んでもよい。本実施形態では、上述した実施形態と異なり、使用者がスクリーンに表示された専用のスクリーン画面をタッチする（すなわち、タッチ態様）ことによって、緊急救出要請メッセージを発信するように移動端末に知らせる。
【００２８】
図５Ａ乃至図５Ｃは、移動端末４５内にインストールされたアプリケーション（ＡＰＰ）の、緊急救出要請機能に対応する設定画面を示す図である。図５Ａに示すように、移動端末４５のＡＰＰは、緊急救出要請に関連して設定されたインタフェースを含む。このインタフェースにより、予め設定されて緊急救出要請メッセージを受信する連絡先、ニュースフラッシュの内容や録音メッセージの内容等を設定することができる。図５Ａに示すように、「連絡先のスクリーニングの設定」を選択した後、次の画面に進んで、予め設定されて緊急救出要請メッセージを受信する連絡先を選定する。図５Ｂに示すように、「メッセージ内容の設定」を選択した後、次の画面に進んで、緊急救出要請メッセージに関連するニュースフラッシュの内容を入力する。さらに、移動端末４５は、現在位置における衛星測位（例えば、全地球測位システム，Ｇｌｏｂａｌ  Ｐｏｓｉｔｉｏｎｉｎｇ  Ｓｙｓｔｅｍ，ＧＰＳ）座標又は経緯度を自動的に取得し、且つこの座標又は経緯度をニュースフラッシュの内容に自動的に挿入し、これにより緊急救出要請メッセージを受信した連絡先が緊急事態の発生位置を知ることができる。図５Ｃに示すように、「録音メッセージの設定」を選択した後、次の画面に進んで、古い録音の内容を聴取するか又は録音の内容を再録音することができる。緊急救助を依頼する場合には、ニュースフラッシュの内容と共に録音の内容を、予め設定された１つ以上の連絡先、又は予め選択された１つ以上の連絡先に送信することができる。
【００２９】
また、図１乃至図４を参照しながら、本発明に係る腕時計による迅速ダイヤル機能について説明する。まず、センサ４２は腕時計への使用者の操作を検出した場合、検知信号を生成してプロセッサユニット４１に伝送する。プロセッサユニット４１は、この検知信号に対応する動作モードが第二の所定の動作モード（例えば、叩き）と同一であるか否かを判断する。両者が同一の場合、プロセッサユニット４１は所定の時間内における動作モードの実行の回数（例えば、叩きの回数）を判断し、これにより、第二の所定の動作モード及び当該動作モードの実行の回数に応じて、その回数に対応する第二コマンドを生成し、且つ腕時計の無線通信モジュール４３と移動端末４５の無線通信送受信部４６との無線通信（例えば、ブルートゥース通信、ＮＦＣ通信）によって第二コマンドを移動端末４５に伝送する。移動端末４５が第二コマンドを受信した場合、第二コマンドに応じて対応する連絡先に迅速にダイヤルする。第二の所定の動作モードは回動の動作であってもよい。この場合、所定の時間内における、検知信号に対応する動作モードの実行の回数は回動の回数である。第二の所定の動作モードは振りの動作であってもよい。この場合、所定の時間内における、検知信号に対応する動作モードの実行の回数は振りの回数である。好ましくは、プロセッサユニット４１によって生成された第二コマンドは、迅速にダイヤルするように移動端末４５に指示するためのコマンド、及び１つのフラグを含む。移動端末４５には、フラグと連絡先との対応関係が記憶されている。例えば、１回叩きの場合、プロセッサユニット４１はフラグ「１」を第二コマンドに格納し、２回叩きの場合、プロセッサユニット４１はフラグ「２」を第二コマンドに格納し、３回叩きの場合、プロセッサユニット４１はフラグ「３」を第二コマンドに格納する。一方、移動端末４５には、各フラグ「１」、「２」、「３」に対応する連絡先が記憶されている。そのため、移動端末４５は、フラグに応じて対応する連絡先に迅速にダイヤルすることができる。また、好ましくは、移動端末４５は迅速ダイヤルを実行し、且つ通話が開始した（相手が通話に応答した）と判断した場合、移動端末４５の無線信号送受信部４６と腕時計の無線通信モジュール４３との無線通信によって、確認信号をプロセッサユニット４１に伝送する。プロセッサユニット４１は、この確認信号に応じて、振動発生機による振動の発生（例えば、長い振動）を指示するための提示メッセージを発信して、通話が開始したことを使用者に注意を喚起する。提示メッセージは、音声提示メッセージであってもよい。このように、使用者は、本発明による迅速ダイヤル機能を使用し、携帯電話を取ってコールを待機することなく、通話開始時に携帯電話を取って通話することができ、コール待機時間を排除する。他の実施形態において、腕時計（又はウェアラブル装置）は、押しボタン又はノブを含んでもよい。ノブは、回転可能な盤面であってもよい。使用者がこの押しボタン又はノブを操作すると、すなわち、腕時計（又はウェアラブル装置）への使用者の操作を実行し、その後に信号を生成して、プロセッサユニット４１に送信する。本実施形態では、上述した操作検知の態様と異なり、腕時計（又はウェアラブル装置）の押しボタン又はノブを操作する回数により、迅速ダイヤルを実行して、この回数に対応する連絡先に電話をかけるように移動端末に知らせる。また、別の実施形態において、腕時計（又はウェアラブル装置）は、スクリーンを含んでもよい。本実施形態では、上述した実施形態と異なり、使用者がスクリーンに表示された専用のスクリーン画面をタッチすること（すなわち、タッチ態様）によって、迅速ダイヤルを実行するように移動端末に知らせる。
【００３０】
図６は、本発明の移動端末４５内にインストールされたアプリケーション（ＡＰＰ）の、迅速ダイヤル機能に対応する設定画面を示す図である。迅速ダイヤルを実行する場合、腕時計の機能モジュール１４は節電するために待機状態になることがある。そのとき、平行な往復動、振り又は他の指定作動によって腕時計を起動して、腕時計が待機状態から通常の操作状態に復帰する。図６に示すように、移動端末４５内にインストールされたＡＰＰによって迅速ダイヤル機能の開始と終了を設定することができる。さらに、「連絡先のスクリーニングの設定」で迅速ダイヤルの対象となる連絡先を選択することができ、連絡先を選定した後に「優先順位の設定」を押下して優先順位の設定画面に進む。この画面において、使用者は、上下スクロールで連絡先の優先順位を変更することができる。図６によれば、「カバー部１回叩き」、「カバー部２回叩き」や「カバー部３回叩き」を実行すると、それぞれ対応する連絡先に迅速にダイヤルできることがわかる。このように、迅速ダイヤルの連絡先を設定することができる。
【００３１】
上述したように、上記の実施形態は、従来のクォーツ時計を改善する場合を例として説明するものである。しかし、当業者であれば、上記の説明から、本発明に係る腕時計の機能モジュール１４をスマートウォッチ、スマートベルト、生活記録リストバンドやヘルス記録リストバンド等のウェアラブル装置に設置することで、これらのウェアラブル装置が本発明と同様の緊急救出要請機能及び迅速ダイヤル機能を有することを理解されたい。そのため、本発明は、従来の腕時計だけではなく、上記のウェアラブル装置にも適用できる。また、本発明の機能モジュール１４内におけるプロセッサユニット４１、センサ４２及び無線通信モジュール４３は、上記のウェアラブル装置の対応する部材と整合させることができる。すなわち、本発明はウェアラブル装置内における固有のプロセッサユニット、センサ及び無線通信モジュールを用いて、本発明の緊急救出要請機能及び迅速ダイヤル機能を実現することができる。そのため、本発明の技術を採用するウェアラブル装置が緊急救出要請機能及び／又は迅速ダイヤル機能を実現することは、本発明の保護を求める範囲内にある。
【００３２】
以下、図７を図１乃至図４に合わせて参照して、本発明に係る緊急救出要請方法の各フローについて説明する。
【００３３】
ステップ７０：使用者が身に付けた装置への使用者の操作に応じて、該装置は検知信号を生成する。
【００３４】
ステップ７２：装置は、検知信号に対応する動作モードが第一の所定の動作モード（例えば、連続振りや連続叩き）と同一であるか否かを判断する。上述したように、第一の所定の動作モードは回転動作、すなわち、腕時計を回転させるための動作であってもよい。
【００３５】
ステップ７４：検知信号に対応する動作モードが第一の所定の動作モードと同一である場合、第一コマンドを生成して移動端末に伝送する。
【００３６】
ステップ７６：移動端末は、第一コマンドに応じて、移動端末内に記憶されて予め設定された緊急救出要請メッセージを、移動端末内に予め設定された１つ以上の連絡先に送信する。
【００３７】
以下、図８を図１乃至図４に合わせて参照して、本発明に係る迅速ダイヤル方法の各フローについて説明する。
【００３８】
ステップ８０：使用者が身に付けた装置への使用者の操作に応じて、該装置は検知信号を生成する。
【００３９】
ステップ８２：装置は、検知信号に対応する動作モードが第二の所定の動作モード（例えば、叩き）と同一であるか否かを判断し、検知信号に対応する動作モードが第二の所定の動作モード（例えば、叩き）と同一である場合、所定の時間内における、検知信号に対応する動作モードの実行の回数を判断する。第二の所定の動作モードは回転動作であってもよく、すなわち、所定の時間内における、検知信号に対応する動作モードの実行の回数が回転の回数である。第二の所定の動作モードは振りの動作であってもよく、すなわち、所定の時間内における、検知信号に対応する動作モードの実行の回数が振りの回数である。
【００４０】
ステップ８４：所定の動作モード及び回数に応じて、この回数に対応する第二コマンドを生成して移動端末に伝送する。
【００４１】
ステップ８６：移動端末は第二コマンドに応じて、回数に対応する連絡先に迅速にダイヤルする。
【００４２】
本発明に係る、使用者が身に付けた腕時計又はウェアラブル装置によれば、使用者の移動端末と組み合わせて、緊急救出要請機能及び／又は迅速ダイヤル機能を実現することができる。例えば、使用者が腕時計又はウェアラブル装置を連続的に叩いたり振ったりした場合、腕時計又はウェアラブル装置と移動端末との無線通信により、緊急救出要請機能を実行するように使用者の移動端末に知らせ、緊急救出要請メッセージを予め設定された連絡先に送信する。さらに、腕時計又はウェアラブル装置への使用者の叩きの回数（例えば、１回、２回、３回）に応じて、移動端末は回数に対応する連絡先に迅速にダイヤルすることができる。本発明の実施形態は、従来の腕時計に適用されてもよいし、ウェアラブル装置に適用されてもよい。
【００４３】
なお、上述した実施形態は、本発明の最良な実施形態を説明したものであるが、本発明を限定するものではく、当業者であれば、本発明の精神及び範囲を逸脱しない限り、各種の変形や修飾を加えることができる。従って、本発明の保護を求める範囲は、特許請求の範囲を基準とする。
【符号の説明】
【００４４】
１１ カバー部
１２ 文字盤
１３ コア部
１４ 機能モジュール
１５ ケース部
１６ クラウン
１７ 電池
１８ 裏蓋
４１ プロセッサユニット
４２ センサ
４３ 無線通信モジュール
４４ 記憶ユニット
４５ 移動端末
４６ 無線信号送受信部
７０〜７６ ステップ
８０〜８６ ステップ
１４１ 電気接続基板
１４２  パッケージ体
【図１】
2017090430.tif 000003
【図２】
2017090430.tif 000004
【図３】
2017090430.tif 000005
【図４】
2017090430.tif 000006
【図５Ａ】
2017090430.tif 000007
【図５Ｂ】
2017090430.tif 000008
【図５Ｃ】
2017090430.tif 000009
【図６】
2017090430.tif 000010
【図７】
2017090430.tif 000011
【図８】
2017090430.tif 000012